(57)【特許請求の範囲】
【請求項１】
電気機器の消費電力を計測する１つの電力計測器と、
それぞれが異なる前記電気機器と接続し、前記１つの電力計測器を経由する電力線と前記１つの電力計測器を経由しない電力線とに切り替える２以上のスイッチと、
前記スイッチを制御して、所定の時間ごとに、前記電気機器を順番に前記１つの電力計測器に所定の時間ずつ接続させるスイッチ制御手段と、
前記１つの電力計測器から前記電気機器の前記所定の時間の消費電力の測定値と、該電気機器を識別する識別情報とを取得し、前記測定値と、前記識別情報と、前記測定値を取得した時刻を示す計測時刻とを対応付けた消費電力情報を生成する測定値取得手段と、
を備えることを特徴とする電力計測システム。
【請求項２】
前記消費電力情報を記憶する記憶手段をさらに備え、
前記記憶手段が記憶する前記消費電力情報をユーザに提示する提示手段をさらに備えることを特徴とする請求項１に記載の電力計測システム。
【請求項３】
前記測定値があらかじめ設定された閾値を超える場合に、該当する前記電気機器と前記電力線との接続を強制的に切断する強制切断手段をさらに備えることを特徴とする請求項１または２に記載の電力計測システム。
【請求項４】
前記強制切断手段が、前記電気機器と前記電力線との接続を強制的に切断する前に、前記電気機器と該電気機器のユーザの連絡先とを対応付けた連絡情報を参照し、前記電気機器の前記ユーザの連絡先に警告を送信する警告手段をさらに備えることを特徴とする請求項３に記載の電力計測システム。
【請求項５】
それぞれが異なる電気機器と接続し、１つの電力計測器を経由する電力線と前記１つの電力計測器を経由しない電力線とに切り替える２以上のスイッチを制御して、所定の時間ごとに、前記電気機器を順番に前記１つの電力計測器に所定の時間ずつ接続させるスイッチ制御手段と、
前記電気機器の消費電力を計測する前記１つの電力計測器から前記電気機器の前記所定の時間の消費電力の測定値と、該電気機器を識別する識別情報とを取得し、前記測定値と、前記識別情報と、前記測定値を取得した時刻を示す計測時刻とを対応付けた消費電力情報を生成する測定値取得手段と、
を備えることを特徴とする電力計測装置。
【請求項６】
電力計測システムが実行する
それぞれが異なる電気機器と接続し、１つの電力計測器を経由する電力線と前記１つの電力計測器を経由しない電力線とに切り替える２以上のスイッチを制御して、所定の時間ごとに、前記電気機器を順番に前記１つの電力計測器に所定の時間ずつ接続させるスイッチ制御ステップと、
前記１つの電力計測器が実行する
前記電気機器の消費電力を計測するステップと、
前記電力計測システムが実行する
前記１つの電力計測器から前記電気機器の前記所定の時間の消費電力の測定値と、該電気機器を識別する識別情報とを取得し、前記測定値と、前記識別情報と、前記測定値を取得した時刻を示す計測時刻とを対応付けた消費電力情報を生成する測定値取得ステップと、
を備えることを特徴とする電力計測方法。
【請求項７】
前記消費電力情報を記憶する記憶ステップをさらに備え、
前記記憶ステップで記憶する前記消費電力情報をユーザに提示する提示ステップをさらに備えることを特徴とする請求項６に記載の電力計測方法。
【請求項８】
前記測定値があらかじめ設定された閾値を超える場合に、該当する前記電気機器と前記電力線との接続を強制的に切断する強制切断ステップをさらに備えることを特徴とする請求項６または７に記載の電力計測方法。
【請求項９】
前記強制切断ステップで、前記電気機器と前記電力線との接続を強制的に切断する前に、前記電気機器と該電気機器のユーザの連絡先とを対応付けた連絡情報を参照し、前記電気機器の前記ユーザの連絡先に警告を送信する警告ステップをさらに備えることを特徴とする請求項８に記載の電力計測方法。
【請求項１０】
コンピュータを、
それぞれが異なる電気機器と接続し、１つの電力計測器を経由する電力線と前記１つの電力計測器を経由しない電力線とに切り替える２以上のスイッチを制御して、所定の時間ごとに、前記電気機器を順番に前記１つの電力計測器に所定の時間ずつ接続させるスイッチ制御手段と、
前記電気機器の消費電力を計測する前記１つの電力計測器から前記電気機器の前記所定の時間の消費電力の測定値と、該電気機器を識別する識別情報とを取得し、前記測定値と、前記識別情報と、前記測定値を取得した時刻を示す計測時刻とを対応付けた消費電力情報を生成する測定値取得手段と、
して機能させることを特徴とするプログラム。
【発明の詳細な説明】
【技術分野】
【０００１】
本発明は、電気機器の消費電力の値を計測する電力計測システム、電力計測装置、電力計測方法およびプログラムに関する。
【背景技術】
【０００２】
コンセントと対象となる電気機器の間に設置することで、電気機器の消費電力を測定する電力計測器が普及しつつある。簡単なものでは、たとえば、エネゲート社のエコワット（登録商標）のように、液晶パネルを内蔵し、消費電力を液晶パネルに表示し、人間が目視で観察するものがある。高度なものでは、ジリオン社のインテリコンセントのように、ＬＡＮなどの通信装置を内蔵し、消費電力値を通信装置を介して送信する機能を有するものがある。このような通信装置を内蔵するものは、人間が目視しなくとも消費電力を計測し、その測定値をサーバなどに蓄積することができる。サーバに蓄積された測定値を閲覧することにより、該電気機器の使われ方を観察することが可能になる。
【０００３】
たとえば、パソコンが計測対象の場合、それぞれのパソコンの消費電力の測定値を見ることで、そのパソコンのユーザの節電に関する意識の高さまたは低さを推測することが可能である。たとえば、昼休みや帰宅時に電源をオフにするユーザと、電源をつけたままで帰宅するユーザでは、パソコンの消費電力は大幅に異なる。通信装置を内蔵した電力計測器を電気機器ごとに設置し、電気機器の使われ方をユーザ本人が観察したり、意識の低いユーザに忠告したりすることにより、ユーザの節電に関する意識を向上させることが期待できる。
【０００４】
特許文献１には、内部に複数の回路を持つ装置の回路ごとの電力量を簡易な構成で計測する電力計測監視装置が記載されている。
【０００５】
特許文献２には、家電機器のコンセントを接続することで家電機器に通電を行なうと同時に電力量が計測でき、さらには通電の開始停止ができる遮蔽制御部を持つ電力計測制御装置が記載されている。
【０００６】
特許文献３には、電源から負荷機器に供給される電力値に基づいて負荷機器が停止中か否かを判断し、負荷機器が停止中と判断すると、待機電力の積算電力量を算出する電力計測装置が記載されている。
【０００７】
特許文献４には、動作中に予め設定された物理量の閾値を超えると表示部に異常を表示する画像処理装置が記載されている。
【０００８】
特許文献５には、負荷電流を電圧の実効値に変換し、実効値電圧を変換した周波数をカウントし、カウント値を電力量に換算することで、離れた場所からでも常時負荷で消費される電力量を計測することのできる電力量計測装置が記載されている。
【先行技術文献】
【特許文献】
【０００９】
【特許文献１】特開２００１−０１３１７６号公報
【特許文献２】特開２００３−０８８００４号公報
【特許文献３】特開２００９−１６８７２６号公報
【特許文献４】特開２００１−２６８１５１号公報
【特許文献５】特開平０７−１２０５００号公報
【発明の概要】
【発明が解決しようとする課題】
【００１０】
しかし、このような高度な電力計測装置は、まだ高価であるため、パソコンなどの複数の電気機器１台ごとに１台ずつ設置するには、大きなコストがかかる。
【００１１】
特許文献１に記載の発明は、同一または異なる種類の複数の電気機器の消費電力を計測するものではない。
【００１２】
特許文献２、３および５に記載の発明は、電気機器ごとに消費電力を計測する電力計測器が必要である。
【００１３】
特許文献４に記載の発明は、電力計測装置ではない。
【００１４】
本発明は、上述のような事情に鑑みてなされたもので、低コストで、複数の電気機器の消費電力を計測してデータを取得することができる電力計測システム、電力計測装置、電力計測方法およびプログラムを提供することを目的とする。
【課題を解決するための手段】
【００１５】
本発明の第１の観点に係る電力計測システムは、
電気機器の消費電力を計測する１つの電力計測器と、
それぞれが異なる前記電気機器と接続し、前記１つの電力計測器を経由する電力線と前記１つの電力計測器を経由しない電力線とに切り替える２以上のスイッチと、
前記スイッチを制御して、所定の時間ごとに、前記電気機器を順番に前記１つの電力計測器に所定の時間ずつ接続させるスイッチ制御手段と、
前記１つの電力計測器から前記電気機器の前記所定の時間の消費電力の測定値と、該電気機器を識別する識別情報とを取得し、前記測定値と、前記識別情報と、前記測定値を取得した時刻を示す計測時刻とを対応付けた消費電力情報を生成する測定値取得手段と、
を備えることを特徴とする。
【００１６】
本発明の第２の観点に係る電力計測装置は、
それぞれが異なる電気機器と接続し、１つの電力計測器を経由する電力線と前記１つの電力計測器を経由しない電力線とに切り替える２以上のスイッチを制御して、所定の時間ごとに、前記電気機器を順番に前記１つの電力計測器に所定の時間ずつ接続させるスイッチ制御手段と、
前記電気機器の消費電力を計測する前記１つの電力計測器から前記電気機器の前記所定の時間の消費電力の測定値と、該電気機器を識別する識別情報とを取得し、前記測定値と、前記識別情報と、前記測定値を取得した時刻を示す計測時刻とを対応付けた消費電力情報を生成する測定値取得手段と、
を備えることを特徴とする
【００１７】
本発明の第３の観点に係る電力計測方法は、
電力計測システムが実行する
それぞれが異なる電気機器と接続し、１つの電力計測器を経由する電力線と前記１つの電力計測器を経由しない電力線とに切り替える２以上のスイッチを制御して、所定の時間ごとに、前記電気機器を順番に前記１つの電力計測器に所定の時間ずつ接続させるスイッチ制御ステップと、
前記１つの電力計測器が実行する
前記電気機器の消費電力を計測するステップと、
前記電力計測システムが実行する
前記１つの電力計測器から前記電気機器の前記所定の時間の消費電力の測定値と、該電気機器を識別する識別情報とを取得し、前記測定値と、前記識別情報と、前記測定値を取得した時刻を示す計測時刻とを対応付けた消費電力情報を生成する測定値取得ステップと、
を備えることを特徴とする。
【００１８】
本発明の第４の観点に係るプログラムは、コンピュータを、
それぞれが異なる電気機器と接続し、１つの電力計測器を経由する電力線と前記１つの電力計測器を経由しない電力線とに切り替える２以上のスイッチを制御して、所定の時間ごとに、前記電気機器を順番に前記１つの電力計測器に所定の時間ずつ接続させるスイッチ制御手段と、
前記電気機器の消費電力を計測する前記１つの電力計測器から前記電気機器の前記所定の時間の消費電力の測定値と、該電気機器を識別する識別情報とを取得し、前記測定値と、前記識別情報と、前記測定値を取得した時刻を示す計測時刻とを対応付けた消費電力情報を生成する測定値取得手段と、
して機能させることを特徴とする。
【発明の効果】
【００１９】
本発明の電力計測システム、電力計測装置、電力計測方法およびプログラムによれば、低コストで、複数の電気機器の消費電力を計測してデータを取得することができる。
【図面の簡単な説明】
【００２０】
【図１】本発明の第１の実施の形態に係る電力計測システムの構成例を説明する図である。
【図２】記憶部が記憶する電気消費情報の例を示す図である。
【図３】実施の形態１に係る電力計測の動作の一例を示すフローチャートである。
【図４】本発明の第２の実施の形態に係る電力計測システムの構成例を説明する図である。
【図５】実施の形態２に係る電力計測の動作の一例を示すフローチャートである。
【図６】本発明の実施の形態に係る電力計測装置の物理的な構成例を示すブロック図である。
【発明を実施するための形態】
【００２１】
以下、本発明を実施するための形態について図を参照して詳細に説明する。なお図中、同一または同等の部分には同一の符号を付す。
【００２２】
（実施の形態１）
図１は、本発明の第１の実施の形態に係る電力計測システムの構成例を説明する図である。電力計測システム１０１は、電力計測装置１と、電力計測器２と、通信装置３と、電気機器Ｅ１、電気機器Ｅ２および電気機器Ｅ３と、スイッチＳＷ１、スイッチＳＷ２およびスイッチＳＷ３と、コンセントＣ１、コンセントＣ２、コンセントＣ３およびコンセントＣ４とから構成される。電力計測装置１と電力計測器２とは通信装置３を介して通信可能である。また、各コンセントは電源に接続されている。なお、図１では例として電気機器を３台としたが、これに限らず２台以上であればよい。
【００２３】
たとえば、電気機器Ｅ１、電気機器Ｅ２および電気機器Ｅ３は、オフィスのフロアの各所に分散して設置され、電力計測器２は、オフィスの一角に設置されている。また、電力計測器２は通信装置３と接続されているので、電力計測装置１は、電力計測器２とは別の場所に設置することができる。これにより、電気機器ごとに電力計測器を設置する場合に比べて省スペースである。
【００２４】
電力計測器２は、電気機器とコンセントの間に設置され、各電気機器の消費電力を計測する。電力計測器２の一端はコンセントＣ１に接続されており、他端は、スイッチＳＷ１、スイッチＳＷ２およびスイッチＳＷ３に対してそれぞれ分岐して接続されている。また、電力計測器２は、通信装置３と接続し、通信装置３を介して測定値を電力計測装置１へ伝送する。
【００２５】
スイッチＳＷ１、スイッチＳＷ２およびスイッチＳＷ３は、それぞれコンセントＣ２、コンセントＣ３およびコンセントＣ４と電気機器Ｅ１、電気機器Ｅ２および電気機器Ｅ３の間に設置されており、これらのスイッチ群は、電力計測装置１と接続されている。各スイッチは、電力計測装置１からの制御により、電力計測器２を経由する方の電源への接続（以下、スイッチをオンにするという）と、電力計測器２を経由しない方の電源への接続（以下、スイッチをオフにするという）との切り替えを行う。電源への接続 が行われると、各電気機器に電力が供給され、通電する。
【００２６】
なお、各スイッチは、切り替えを行う際の瞬時電圧低下を防ぐために、一旦両方の電源に接続してから切り替えを行うのが好ましい。すなわち、スイッチをオンにする場合、電力計測器２を経由しない方の電源のみに接続している状態から、両方の電源に接続している状態に移行して、電力計測器２を経由する方の電源のみに接続している状態に切り替える。一方、スイッチをオフにする場合、電力計測器２を経由する方の電源のみに接続している状態から、両方の電源に接続している状態に移行して、電力計測器２を経由しない方の電源のみに接続している状態に切り替える。
【００２７】
通信装置３は、電力計測器２の測定値を電力計測装置１へ伝送する。通信装置３は、たとえば、有線ＬＡＮや無線ＬＡＮである。
【００２８】
電力計測装置１は、機能構成として、測定値取得部１１、記憶部１２、スイッチ制御部１３およびタイマ１４を有する。
【００２９】
測定値取得部１１は、電力計測器２から通信装置３を介して各電気機器の消費電力の測定値と、電気機器のＩＤとを取得する。測定値取得部１１は、測定値を取得すると、タイマ１４から現在時刻を取得し、計測時刻とする。測定値取得部１１は、電気機器のＩＤと、測定値と、計測時刻とを対応付けて消費電力情報として記憶部１２に送信する。
【００３０】
記憶部１２は、測定値取得部１１から受信した消費電力情報を記憶する。記憶部１２は、たとえば、関係データベースである。
【００３１】
なお、電力計測装置１は記憶部１２を備えず、測定値取得部１１は、電気機器のＩＤと、測定値と、計測時刻とを対応付けて生成した消費電力情報を外部に送信することとしてもよい。
【００３２】
スイッチ制御部１３は、タイマ１４から定期的に開始信号を受信することによって以下のスイッチ制御処理を実行する。スイッチ制御部１３は、開始信号を受信するすると、対象のスイッチをオンにする。所定の時間が経過すると該スイッチをオフにする。このとき、電力計測器２は、該スイッチが接続された電気機器の所定の時間の消費電力を計測し、その測定値を通信装置３を介して電力計測装置１に送信する。スイッチ制御部１３は、このスイッチ制御処理を各スイッチに対して行う。これらの処理を終えるとスイッチ制御部１３は、タイマ１４からの開始信号を待機する。
【００３３】
なお、スイッチ制御部１３は、前述のように、開始信号を１回受信するごとに、スイッチＳＷ１から順にスイッチＳＷ３まで繰り返しスイッチ制御処理を実行してもよいし、１回開始信号を受信するごとに、１つずつスイッチ制御処理を実行してもよい。
【００３４】
タイマ１４は、あらかじめ設定された時間ごとに開始信号をスイッチ制御部１３に送信する。なお、タイマ１４は、定期的に現在時刻をスイッチ制御部１３に送信し、スイッチ制御部１３は、あらかじめ設定された時刻にスイッチ制御処理を開始することとしてもよい。
【００３５】
なお、電力計測装置１は、表示部をさらに備え、記憶部１２が記憶する消費電力情報をユーザが閲覧できるようにしてもよい。また、記憶部１２は、たとえば、各電気機器ＩＤと該電気機器のユーザのメールアドレスを対応付けた連絡情報を記憶しており、電力計測装置１は、連絡情報を参照し、記憶部１２が記憶する各電気機器の消費電力情報を定期的に対応する各ユーザに送信する送信手段をさらに備えてもよい。
【００３６】
図２は、記憶部が記憶する電気消費情報の例を示す図である。図２の例では、スイッチ制御部１３が、スイッチＳＷ１、スイッチＳＷ２およびスイッチＳＷ３に対し、１分間隔に１つずつ順番に前述のスイッチ制御処理を実行する場合の電気消費情報の例である。図１の例では、スイッチＳＷ１がオン、スイッチＳＷ２およびスイッチＳＷ３がオフになっている。この場合、電力計測器２は、電気機器Ｅ１の消費電力を測定する。
【００３７】
電力計測器２がスイッチＳＷ１がオンになっている所定の時間（例えば１０秒間）の消費電力(例：０．１ｋＷｈ)を計測したとすると、電気機器のＩＤ「Ｅ１」と、測定値「０．１ｋＷｈ」とを電力計測装置１に送信する。電力計測装置１の測定値取得部１１は、電気機器のＩＤ「Ｅ１」と、測定値「０．１ｋＷｈ」とを取得すると、タイマ１４から現在時刻（ここでは、１７：３０）を取得し、電気機器のＩＤ「Ｅ１」と、計測時刻「１７：３０」と、測定値「０．１ｋＷｈ」とを対応付けた消費電力情報を新しいレコードとして記憶部１２に記憶させる。このような処理を、繰り返し、記憶部１２には、図２のような消費電力情報が記憶される。
【００３８】
図２の消費電力情報は、１７:３０に計測した電気機器Ｅ１の消費電力が０．１ｋＷｈであり、１７:３１に計測した電気機器Ｅ２の消費電力が０．０ｋＷｈであり、１７:３２に計測した電気機器Ｅ３の消費電力が０．３ｋＷｈであり、１７:３３に計測した電気機器Ｅ１の消費電力が０．１ｋＷｈであることを示している。
【００３９】
図３は、実施の形態１に係る電力計測の動作の一例を示すフローチャートである。以下の電力計測処理は、タイマ１４からスイッチ制御部１３へ開始信号が送信されるたびに実行される。
【００４０】
まず、タイマ１４から開始信号を受信すると（ステップＳ１１）、スイッチ制御部１３は、対象のスイッチをオンにする（ステップＳ１２）。電力計測器２は、該スイッチに対応する電気機器の消費電力の計測を開始する（ステップＳ１３）。そして、所定の時間ｔが経過していない場合（ステップＳ１４；ＮＯ）、ステップＳ１４を繰り返し、消費電力の計測を継続する。所定の時間ｔが経過した場合（ステップＳ１４；ＹＥＳ）、スイッチ制御部１３は、スイッチをオフにする（ステップＳ１５）。これにより、電力計測器２は、該スイッチに対応する電気機器の消費電力の計測を終了する（ステップＳ１６）。
【００４１】
電力計測器２は、該スイッチに対応する電気機器の消費電力の測定値を、該電気機器のＩＤとともに、電力計測装置１に送信する（ステップＳ１７）。電力計測装置１の測定値取得部１１は、測定値を取得すると、タイマ１４から現在時刻を取得し、計測時刻とする（ステップＳ１８）。測定値取得部１１は、該電気機器のＩＤと、測定値と、計測時刻とを対応付けて消費電力情報として記憶部１２に送信する。記憶部１２は、測定値取得部１１から受信した消費電力情報を記憶する（ステップＳ１９）。
【００４２】
スイッチ制御部１３は、次のスイッチがあるか否かを判定する（ステップＳ２０）。次のスイッチがある場合（ステップＳ２０；ＹＥＳ）、ステップＳ１２に戻り、ステップＳ１２〜ステップＳ２０を繰り返す。次のスイッチがない場合（ステップＳ２０；ＮＯ）、処理を終了する。
【００４３】
以上説明したように、本実施の形態１の電力計測システム１０１によれば、低コストで、複数の電気機器の消費電力を計測してデータを取得することができる。また、使用している電気機器の消費電力をユーザ本人が閲覧することにより、ユーザの節電に関する意識を向上させることが期待できる。
【００４４】
（実施の形態２）
図４は、本発明の第２の実施の形態に係る電力計測システムの構成例を説明する図である。電力計測システム１０２は、実施の形態１の構成に加えて強制切断部１５を備える。実施の形態２の記憶部１２は、測定値取得部１１から受信した消費電力情報と、あらかじめ設定された消費電力の閾値を記憶する。強制切断部１５は、記憶部１２が測定値取得部１１から受信した消費電力情報と、記憶部１２が記憶する閾値とを比較し、消費電力情報に含まれる消費電力が閾値を超えていた場合、消費電力情報の電気機器のＩＤを参照し、該電気機器と電力線との接続を切断する。たとえば、該電気機器に接続されているスイッチをどちらにも接続せず、電源に接続しないように制御する。あるいは、スイッチと電気機器の間、または、スイッチとコンセントの間のいずれかに配線用遮断器を備えてもよい。
【００４５】
図４の例では、スイッチＳＷ１において、電気機器と電力線との接続を切断している。強制切断部１５が電気機器と電力線との接続を強制的に切断したスイッチは、スイッチ制御部１３が実行するスイッチ制御処理の候補からはずす。なお、強制切断部１５は、所定の時間経過後に、電源供給を復帰させてもよいし、該電気機器のユーザからの操作入力によって、電源供給を復帰させてもよい。
【００４６】
図５は、実施の形態１に係る電力計測の動作の一例を示すフローチャートである。以下の電力計測処理は、タイマ１４からスイッチ制御部１３へ開始信号が送信されるたびに実行される。
【００４７】
まず、タイマ１４から開始信号を受信すると（ステップＳ２１）、スイッチ制御部１３は、スイッチをオンにする（ステップＳ２２）。電力計測器２は、該スイッチに対応する電気機器の消費電力の計測を開始する（ステップＳ２３）。そして、所定の時間が経過していない場合（ステップＳ２４；ＮＯ）、ステップＳ２４を繰り返し、消費電力の計測を継続する。所定の時間が経過した場合（ステップＳ２４；ＹＥＳ）、スイッチ制御部１３は、スイッチをオフにする（ステップＳ２５）。これにより、電力計測器２は、該スイッチに対応する電気機器の消費電力の計測を終了する（ステップＳ２６）。
【００４８】
電力計測器２は、該スイッチに対応する電気機器の消費電力の測定値を、該電気機器のＩＤとともに、電力計測装置１に送信する（ステップＳ２７）。電力計測装置１の測定値取得部１１は、測定値を取得すると、タイマ１４から現在時刻を取得し、計測時刻とする（ステップＳ２８）。測定値取得部１１は、該電気機器のＩＤと、測定値と、計測時刻とを対応付けて消費電力情報として記憶部１２に送信する。記憶部１２は、測定値取得部１１から受信した消費電力情報を記憶する（ステップＳ２９）。
【００４９】
強制切断部１５は、記憶部１２が測定値取得部１１から受信した消費電力情報と、記憶部１２が記憶する閾値とを比較し、消費電力情報に含まれる消費電力が閾値を超えているか否かを判定する（ステップＳ２８）。消費電力が閾値を超えていなかった場合（ステップＳ２８；ＮＯ）、ステップ３０を実行する。一方、消費電力が閾値を超えていた場合（ステップＳ２８；ＹＥＳ）、強制切断部１５は、消費電力情報の電気機器のＩＤを参照し、強制的に該電気機器と電力線との接続を強制的に切断する（ステップＳ２９）。
【００５０】
スイッチ制御部１３は、次のスイッチがあるか否かを判定する（ステップＳ３０）。次のスイッチがある場合（ステップＳ３０；ＹＥＳ）、ステップＳ２２に戻り、ステップＳ２２〜ステップＳ３０を繰り返す。次のスイッチがない場合（ステップＳ３０；ＮＯ）、処理を終了する。
【００５１】
なお、電力計測装置１の記憶部１２は、たとえば、各電気機器ＩＤと該電気機器のユーザのメールアドレスを対応付けた連絡情報を記憶しており、強制切断部１５が強制的に消費電力が閾値を超えた電気機器と電力線との接続を強制的に切断する前に、連絡情報を参照し、該電気機器のユーザのメールアドレスに「消費電力量が超過したため、○○分後に、電源供給が強制的に遮断されます。」といった警告を送信する警告部をさらに備えてもよい。あるいは、警告部は、記憶部１２は、各電気機器ＩＤと該電気機器のユーザの電話番号を対応付けた連絡情報を記憶しており、強制切断部１５が強制的に消費電力が閾値を超えた電気機器と電力線との接続を強制的に切断する前に、連絡情報を参照し、該電気機器のユーザの電話番号に発信してもよい。
【００５２】
以上説明したように、本実施の形態２の電力計測システム１０２によれば、消費電力量が閾値を超えた電気機器と電力線との接続を強制的に切断するので、省電力を実現することができる。また、電気機器と電力線との接続を強制的に切断する前に、ユーザに警告することで、ユーザは切断を回避したり、切断に備えてデータを保存したりといった準備が可能となる。
【００５３】
図６は、本発明の実施の形態に係る電力計測装置の物理的な構成例を示すブロック図である。電力計測装置１は、図６に示すように、制御部３１、主記憶部３２、外部記憶部３３、操作部３４、表示部３５、タイマ３６および送受信部３７を備える。主記憶部３２、外部記憶部３３、操作部３４、表示部３５、タイマ３６および送受信部３７はいずれも内部バス３０を介して制御部３１に接続されている。
【００５４】
制御部３１はＣＰＵ（Central Processing Unit）等から構成され、外部記憶部３３に記憶されている制御プログラム３９に従って、前述の通信処理を実行する。制御部は、測定値取得部１１、スイッチ制御部１３、強制切断部１５として機能する。
【００５５】
主記憶部３２はＲＡＭ（Random-Access Memory）等から構成され、外部記憶部３３に記憶されている制御プログラム３９をロードし、制御部３１の作業領域として用いられる。  
【００５６】
外部記憶部３３は、フラッシュメモリ、ハードディスク、ＤＶＤ−ＲＡＭ（Digital Versatile Disc Random-Access Memory）、ＤＶＤ−ＲＷ（Digital Versatile Disc ReWritable）等の不揮発性メモリから構成され、前記の処理を制御部３１に行わせるための制御プログラム３９を予め記憶し、また、制御部３１の指示に従って、この制御プログラム３９が記憶するデータを制御部３１に供給し、制御部３１から供給されたデータを記憶する。記憶部１２は、外部記憶部３３に構成される。
【００５７】
操作部３４はキーボードおよびマウスなどのポインティングデバイス等と、キーボードおよびポインティングデバイス等を内部バス３０に接続するインタフェース装置から構成されている。操作部３４を介して、消費電力の閾値や、ユーザからの電源復帰命令などが入力され、制御部３１に供給され、外部記憶部３３に記憶される。
【００５８】
表示部３５は、ＣＲＴ（Cathode Ray Tube）またはＬＣＤ（Liquid Crystal Display）などから構成され、外部記憶部３３に記憶されている消費電量情報などを表示する。
【００５９】
タイマ３６は、内部バス３０を介して現在時刻を定期的に制御部３１に供給する。タイマ１４は、制御部３１およびタイマ３６で構成される。
【００６０】
送受信部３７は、網終端装置または無線送受信機およびそれらと接続するシリアルインタフェースまたはＬＡＮ（Local Area Network）インタフェースから構成されている。送受信部３７は、測定値取得部１１として機能する。
【００６１】
図１または図４に示す電力計測装置１の測定値取得部１１、記憶部１２、スイッチ制御部１３、タイマ１４および強制切断１５の処理は、制御プログラム３９が、制御部３１、主記憶部３２、外部記憶部３３、操作部３４、表示部３５、タイマ３６および送受信部３７などを資源として用いて処理することによって実行する。
【００６２】
その他、前記のハードウエア構成やフローチャートは一例であり、任意に変更および修正が可能である。
【００６３】
電力計測装置１の制御部３１、主記憶部３２、外部記憶部３３、操作部３４、表示部３５、タイマ３６および送受信部３７などから構成される電力計測装置１の処理を行う中心となる部分は、専用のシステムによらず、通常のコンピュータシステムを用いて実現可能である。たとえば、前記の動作を実行するためのコンピュータプログラムを、コンピュータが読み取り可能な記録媒体（フレキシブルディスク、ＣＤ−ＲＯＭ、ＤＶＤ−ＲＯＭ等）に格納して配布し、当該コンピュータプログラムをコンピュータにインストールすることにより、前記の処理を実行する電力計測装置１を構成してもよい。また、インターネット等の通信ネットワーク上のサーバ装置が有する記憶装置に当該コンピュータプログラムを格納しておき、通常のコンピュータシステムがダウンロード等することで電力計測装置１を構成してもよい。
【００６４】
また、電力計測装置１の機能を、ＯＳ（オペレーティングシステム）とアプリケーションプログラムの分担、またはＯＳとアプリケーションプログラムとの協働により実現する場合などには、アプリケーションプログラム部分のみを記録媒体や記憶装置に格納してもよい。
【００６５】
また、搬送波にコンピュータプログラムを重畳し、通信ネットワークを介して配信することも可能である。たとえば、通信ネットワーク上の掲示板(BBS, Bulletin Board System)に前記コンピュータプログラムを掲示し、ネットワークを介して前記コンピュータプログラムを配信してもよい。そして、このコンピュータプログラムを起動し、ＯＳの制御下で、他のアプリケーションプログラムと同様に実行することにより、前記の処理を実行できるように構成してもよい。
【００６６】
上記の実施形態の一部または全部は、以下の付記のようにも記載されうるが、以下には限られない。
【００６７】
（付記１）
電気機器の消費電力を計測する１つの電力計測器と、
それぞれが異なる前記電気機器と接続し、前記１つの電力計測器を経由する電力線と前記１つの電力計測器を経由しない電力線とに切り替える２以上のスイッチと、
前記スイッチを制御して、所定の時間ごとに、前記電気機器を順番に前記１つの電力計測器に所定の時間ずつ接続させるスイッチ制御手段と、
前記１つの電力計測器から前記電気機器の前記所定の時間の消費電力の測定値と、該電気機器を識別する識別情報とを取得し、前記測定値と、前記識別情報と、前記測定値を取得した時刻を示す計測時刻とを対応付けた消費電力情報を生成する測定値取得手段と、
を備えることを特徴とする電力計測システム。
【００６８】
（付記２）
前記消費電力情報を記憶する記憶手段をさらに備え、
前記記憶手段が記憶する前記消費電力情報をユーザに提示する提示手段をさらに備えることを特徴とする付記１に記載の電力計測システム。
【００６９】
（付記３）
前記測定値があらかじめ設定された閾値を超える場合に、該当する前記電気機器と前記電力線との接続を強制的に切断する強制切断手段をさらに備えることを特徴とする付記１または２に記載の電力計測システム。
【００７０】
（付記４）
前記強制切断手段が、前記電気機器と前記電力線との接続を強制的に切断する前に、前記電気機器と該電気機器のユーザの連絡先とを対応付けた連絡情報を参照し、前記電気機器の前記ユーザの連絡先に警告を送信する警告手段をさらに備えることを特徴とする付記３に記載の電力計測システム。
【００７１】
（付記５）
それぞれが異なる電気機器と接続し、１つの電力計測器を経由する電力線と前記１つの電力計測器を経由しない電力線とに切り替える２以上のスイッチを制御して、所定の時間ごとに、前記電気機器を順番に前記１つの電力計測器に所定の時間ずつ接続させるスイッチ制御手段と、
前記電気機器の消費電力を計測する前記１つの電力計測器から前記電気機器の前記所定の時間の消費電力の測定値と、該電気機器を識別する識別情報とを取得し、前記測定値と、前記識別情報と、前記測定値を取得した時刻を示す計測時刻とを対応付けた消費電力情報を生成する測定値取得手段と、
を備えることを特徴とする電力計測装置。
【００７２】
（付記６）
電力計測システムが実行する
それぞれが異なる電気機器と接続し、１つの電力計測器を経由する電力線と前記１つの電力計測器を経由しない電力線とに切り替える２以上のスイッチを制御して、所定の時間ごとに、前記電気機器を順番に前記１つの電力計測器に所定の時間ずつ接続させるスイッチ制御ステップと、
前記１つの電力計測器が実行する
前記電気機器の消費電力を計測するステップと、
前記電力計測システムが実行する
前記１つの電力計測器から前記電気機器の前記所定の時間の消費電力の測定値と、該電気機器を識別する識別情報とを取得し、前記測定値と、前記識別情報と、前記測定値を取得した時刻を示す計測時刻とを対応付けた消費電力情報を生成する測定値取得ステップと、
を備えることを特徴とする電力計測方法。
【００７３】
（付記７）
前記消費電力情報を記憶する記憶ステップをさらに備え、
前記記憶ステップで記憶する前記消費電力情報をユーザに提示する提示ステップをさらに備えることを特徴とする付記６に記載の電力計測方法。
【００７４】
（付記８）
前記測定値があらかじめ設定された閾値を超える場合に、該当する前記電気機器と前記電力線との接続を強制的に切断する強制切断ステップをさらに備えることを特徴とする付記６または７に記載の電力計測方法。
【００７５】
（付記９）
前記強制切断ステップで、前記電気機器と前記電力線との接続を強制的に切断する前に、前記電気機器と該電気機器のユーザの連絡先とを対応付けた連絡情報を参照し、前記電気機器の前記ユーザの連絡先に警告を送信する警告ステップをさらに備えることを特徴とする付記８に記載の電力計測方法。
【００７６】
（付記１０）
コンピュータを、
それぞれが異なる電気機器と接続し、１つの電力計測器を経由する電力線と前記１つの電力計測器を経由しない電力線とに切り替える２以上のスイッチを制御して、所定の時間ごとに、前記電気機器を順番に前記１つの電力計測器に所定の時間ずつ接続させるスイッチ制御手段と、
前記電気機器の消費電力を計測する前記１つの電力計測器から前記電気機器の前記所定の時間の消費電力の測定値と、該電気機器を識別する識別情報とを取得し、前記測定値と、前記識別情報と、前記測定値を取得した時刻を示す計測時刻とを対応付けた消費電力情報を生成する測定値取得手段と、
して機能させることを特徴とするプログラム。
【符号の説明】
【００７７】
１  電力計測装置
２  電力計測器
３  通信装置
１１  測定値取得部
１２  記憶部
１３  スイッチ制御部
１４  タイマ
１５  強制切断部
３１  制御部
３２  主記憶部
３３  外部記憶部
３４  入力部
３６  タイマ
３７  送受信部
３９  制御プログラム
１０１、１０２  電力計測システム
Ｃ１、Ｃ２、Ｃ３、Ｃ４  コンセント
Ｅ１、Ｅ２、Ｅ３  電気機器
ＳＷ１、ＳＷ２、ＳＷ３  スイッチ
【図１】
0005246815.tif 000002
【図２】
0005246815.tif 000003
【図３】
0005246815.tif 000004
【図４】
0005246815.tif 000005
【図５】
0005246815.tif 000006
【図６】
0005246815.tif 000007